(57)【要約】【課題】  被洗浄車両に対して走行する門型洗車機本体に接近・離間動可能に設けた側面ブラシにより、その車両の車両前面および車両側面を洗浄するようにした門型洗車機において、簡単な構造により、車両側面およびバンパー上面の洗浄効果を高める。【解決手段】  車両に対して移動する門型洗車機本体１に、一対の移動体２５を左右方向の接近・離間可能に支持し、移動体２５に、側面ブラシ２３の回転軸３０を、その軸線を鉛直線に対して上から下に向けて門型洗車機本体１の左右方向外側に傾斜させ、その傾斜角度が変わらないように、移動体２５に支持する。【選択図】    図３
2011016493.tif 000002
【特許請求の範囲】
【請求項１】
被洗浄車両に対して移動する門型洗車機本体に、一対の移動体を左右方向の接近・離間可能に支持し、各移動体に、側面ブラシを一体に設けた回転軸を支持してなる、門型洗車機の側面洗浄装置において、
前記回転軸は、その軸線を鉛直線に対して上から下に向けて門型洗車機本体の左右方向外側に傾斜させ、その傾斜角度が変わらないように、前記移動体に支持されることを特徴とする門型洗車機の側面洗浄装置。
【請求項２】
前記側面ブラシは、円筒状上部分と、それよりも小径な円筒状下部分と、それら間を継ぐ截頭円錐状中間部分よりなることを特徴とする、前記請求項１記載の門型洗車機の側面洗浄装置。
【請求項３】
前記門型洗車機本体の中間部に前記側面ブラシを設け、その後部に車両上面を洗浄する、揺動式の上面ブラシを設けたことを特徴とする、前記請求項１または２記載の門型洗車機の側面洗浄装置。
【発明の詳細な説明】
【技術分野】
【０００１】
本発明は、被洗浄車両に対して相対移動する門型洗車機の、前記車両の車両側面および前後面を洗浄するようにした側面洗浄装置に関する。
【背景技術】
【０００２】
従来、車両洗車位置に停車する被洗浄車両に対して門型洗車機本体を往復移動させることにより洗車を行なうようにした門型洗車機において、上下方向に配設した回転軸回りに回転駆動される一対の側面ブラシによって被洗浄車両の両側面および前後面を洗浄するようにした側面洗浄装置は公知である（後記特許文献１参照）。
【先行技術文献】
【特許文献】
【０００３】
【特許文献１】特開平３−７９４５５号公報
【発明の概要】
【発明が解決しようとする課題】
【０００４】
ところが、従来の門型洗車機の側面洗浄装置は、門型洗車機本体に左右方向に接近・離間可能に支持された一対の台車に、側面ブラシの回転軸がそれぞれ左右方向に揺動自在に支持されていて、その回転軸が、シリンダの作動により外傾斜および内傾斜するようにされているので、側面ブラシの支持構造が複雑になるばかりでなく、側面ブラシを強制的に傾斜作動させるための駆動手段が必要となって構造が複雑になりコスト高になるばかりでなく、故障頻度が多くなるという問題がある。
【０００５】
本発明は、かかる実情に鑑みてなされたもので、側面ブラシを門型洗車機本体に恒久的に傾斜支持することにより、前記問題を解決できるようにした、新規な門型洗車機の側面洗浄装置を提供することを目的とする。
【課題を解決するための手段】
【０００６】
前記目的達成のため、請求項１記載の発明は、被洗浄車両に対して移動する門型洗車機本体に、一対の移動体を左右方向の接近・離間可能に支持し、各移動体に、側面ブラシを一体に設けた回転軸を支持してなる、門型洗車機の側面洗浄装置において、
前記回転軸は、その軸線を鉛直線に対して上から下に向けて門型洗車機本体の左右方向外側に傾斜させ、その傾斜角度が変わらないように、前記移動体に支持されることを特徴としている。
【０００７】
前記目的達成のため、請求項２記載の発明は、前記請求項１記載のものにおいて、前記側面ブラシは、円筒状上部分と、それよりも小径な円筒状下部分と、それら間を継ぐ截頭円錐状中間部分よりなることを特徴としている。
【０００８】
前記目的達成のため、請求項３記載の発明は、前記請求項１または２記載のものにおいて、前記門型洗車機本体の中間部に前記側面ブラシを設け、その後部に車両上面を洗浄する、揺動式の上面ブラシを設けたことを特徴としている。
【発明の効果】
【０００９】
請求項各項の発明によれば、側面ブラシの門型洗車機本体への支持構造を簡素化して大幅なコストダウンを図りながら、被洗浄車両の両側面およびバンパー上面の洗浄効果を向上できる。
【００１０】
また、請求項３の発明によれば、門型洗車機本体の前後幅を短縮して、その軽量化を図ることができる。
【図面の簡単な説明】
【００１１】
【図１】本発明にかかる側面洗浄装置を備えた門型洗車機の側面図
【図２】図１の２−２線に沿う門型洗車機の後面図
【図３】図１の３−３線に沿う門型洗車機の前面図
【図４】図２の４−４線に沿う門型洗車機の上面図
【図５】側面ブラシによる車両両側面および前後面の洗浄過程を示す図
【図６】車高の異なる車両の車両側面への側面ブラシの接触状態を示す図
【発明を実施するための形態】
【００１２】
本発明の実施の形態を、添付図面に例示した本発明の実施例に基づいて以下に具体的に説明する。
【００１３】
図１〜４において、門型洗車機の門型洗車機本体１は、被洗浄車両Ｖを跨ぎ得る門型フレーム２を備える。この門型フレーム２は、その後部の上面フレームが切り欠かれて平面視で凹状に形成されている。この門型フレーム２に設けられた左右一対の前車輪３，３および左右一対の後車輪４，４は、設置面上に敷設される左右一対の走行レール５，５上を往復走行する。前車輪３，３には、洗車機本体１に設けた走行モータ６，６が連結され、これらの走行モータ６，６を駆動して門型フレーム２を一対の走行レール５，５上を往復走行させることができる。
【００１４】
門型洗車機本体１の設置面上には、スタート位置カム７が設けられている。また、門型洗車機本体１の主体部分を構成する走行フレーム２には、スタート位置カム７に当たって門型洗車機本体１がスタート位置にあることを検出するスタート位置検出スイッチ８が設けられている。
【００１５】
門型フレーム２の前後方向の後方寄りには、被洗浄車両Ｖの車両上面を洗浄する上面ブラシ組立体ＴＢが設けられ、また、その上面ブラシ組立体ＴＢよりも前方の、門型フレーム２の前後方向の中間部に、被洗浄車両Ｖの左、右両側面および前後面を洗浄する側面ブラシ組立体ＳＢが設けられ、さらに、その前部には、被洗浄車両Ｖの上面を乾燥する昇降可能なトップノズルＴＮおよび被洗浄車両Ｖの側面を乾燥するサイドノズルＳＮが設けられている。
【００１６】
つぎに、図１，２，４を参照して、上面ブラシ組立体ＴＢの構成について説明する。
【００１７】
門型フレーム２の左右両側部には、左右一対の揺動アーム１０，１０が同一水平軸線Ｈ−Ｈ上に軸受１１，１２を介してそれぞれ回転自在に支持されている。各揺動アーム１０は、クランク状に形成されており、前記軸受１１，１２に支持される水平な支持軸部１０ａと、支持軸部１０ａの内端に固定されて鉛直方向に延びる内側アーム部１０ｂと、支持軸部１０ａの外端に固定されて鉛直方向に延びる外側アーム部１０ｃとより構成されている。左右の内側アーム部１０ａ，１０ａの先端部間には、水平方向に延びる回転軸１３が軸受１４，１５を介して回転自在に支持され、この回転軸１３に上面ブラシ１６が一体に回転できるように支持されている。右側の内側アーム部１０の先端部には、回転モータ１７が支持されており、この回転モータ１７の出力軸は、回転軸１３に連結されており、この回転モータ１７の駆動によれば、上面ブラシ１６が回転軸１３と共に回転される。上面ブラシ１６は、従来公知のもので、合成樹脂製ブラシ毛、ブラシ布帛などにより構成される。
【００１８】
左右の内側アーム部１０ｂ，１０ｂの基端部には、第１バランスウェイト１９1 ，１９1 がそれぞれ固定され、また、左右の外側アーム部１０ｃ，１０ｃの先端部には、第２バランスウェイト１９2 ，１９2 がそれぞれ固定されている。
【００１９】
揺動アーム１０の支持軸部１０ａの中間部には、作動アーム２０が固定され、この作動アーム２０と門型フレーム２間には、揺動シリンダ２１が連結されており、この揺動シリンダ２１の伸長作動により、揺動アーム１０を上限位置に回動し、上面ブラシ組立体ＴＢは格納位置（図１、実線位置）に保持される。
【００２０】
つぎに、図１，３，４を参照して、本発明にかかる側面ブラシ組立体ＳＢの構成について説明するに、この側面ブラシ組立体ＳＢは、門型フレーム２の左右方向に開閉可能な一対の側面ブラシ２３，２３を備える。門型フレーム２の上部に横架固定した案内レール２４には、一対の移動体２５，２５が、そこに設けた駆動輪２６および従動輪２７を介して接近・離間方向に開閉移動できる支持されている。駆動輪２６には、開閉モータ２８が連結され、この開閉モータ２８の駆動により、各移動体２５は、案内レール２４に沿って走行され、一対の移動体２５、２５は、案内レール２４に沿って相互に、接近・離間可能である。
【００２１】
図３に示すように、一対の移動体２５，２５には、支持筒２９，２９が、その軸線ｌ−ｌを鉛直線ｖ−ｖに対して上から下に向けて洗車機本体１の左右方向の外側方に広がる方向に傾斜させて固定されており、それらの支持筒２９，２９には、側面ブラシ２３，２３を設けた回転軸３０，３０が回転自在に貫通支持されており、これらの回転軸３０の各軸線ｌ′−ｌ′は前記支持筒２９，２９の各軸線ｌ−ｌの延長線上にあり、各回転軸３０の傾斜角θは、２°〜７°、好ましくは３°に恒久的に設定される。この傾斜角θは、後に述べるように、バン型のように車高の高い車両およびセダン型のように車高の低い車両のいずれの車両側面の傾斜角にも概ね適合する角度とされる。
【００２２】
各回転軸３０の上端には、移動体２５に支持した回転モータ３１が連結されており、この回転モータ３１の駆動によれば、側面ブラシ２３が正逆回転される。円筒状の側面ブラシ２３は、上部２３ｕと、これよりの小径の下部２３ｌと、上部２３ｕと下部２３ｌとを接続する截頭円錐形の中間部２３ｍとより構成されている。
【００２３】
しかして、側面ブラシ２３の回転軸３０の軸線ｌ′−ｌ′は鉛直線ｖ−ｖに対して上から下に向けて外側方に傾斜していることにより、側面ブラシ２３を被洗浄車両Ｖの、上から下に向けて外側に広がる車両側面に沿わせることができ、側面ブラシ２３の回転による、車両側面の洗浄効果が高められる。
【００２４】
図１において、３３は側面ブラシ組立体ＳＢと、トップノズルＴＮおよびサイドノズルＳＮとの間に設けられる入口リンス管、３４は、上面洗浄ノズル組立体ＴＢと、側面ブラシ組立体ＳＢとの間に設けられる出口リンス管、３５は、門型フレーム２の前面に設けた洗車制御盤である。
【００２５】
上面ブラシ組立体ＴＢにより被洗浄車両Ｖの車両上面の洗浄行程は、従来のものと変わることがなく、走行レール５，５間に停車している被洗浄車両Ｖの前方のスタート位置（待機位置）に門型洗車機本体１が位置している状態で、回転モータ１７の駆動により、上面ブラシ１６を矢印ａ方向に回転し、走行モータ６の駆動により、門型洗車機本体１を図１、矢印ｂ方向に往行させると、回転する上面ブラシ１６の外周面が車両上面に追従接触するように、揺動アーム１０が、その支持軸部１０ａまわりに揺動され、その車両上面をブラシング洗浄する。
【００２６】
つぎに、図５を参照して側面ブラシ組立体ＳＢによる、車両前面および車両両側面の洗浄過程について説明する。
【００２７】
開閉モータ２８，２８の回転により離間位置にある左右移動体２５，２５を相互に閉じ方向に移動させ、洗車機本体１の中央部で接近させる。側面ブラシ２３，２３を実線矢印ｃ方向に示すように、側面ブラシ２３，２３を車両前面に接触する側が、車両中心から車車両側面に移動するように回転させる。
【００２８】
門型洗車機１の往走行に伴って、側面ブラシ２３，２３が車両Ｖの前面接触すると、門型フレーム２の走行を停止させる。そして、破線矢印ｄに示すように、側面ブラシ２３，２３が車両前面に接触する側が、車両側面から車両中心へ移動するように回転させて、一対の移動体２５，２５を離間移動する。
【００２９】
一対の移動体２５，２５が離間移動するときに、側面ブラシ２３，２３の直径の小さい下部が車両の前面を洗浄する。このとき、側面ブラシ２３，２３の回転軸３０，３０の傾斜によって、側面ブラシ２３，２３は、車両の前面バンパーＶＢの上面に対して上方から下方へ斜めに移動するので、バンパーＶＢ上面を効果的に洗浄できる。
【００３０】
つぎに、側面ブラシ２３，２３は車両前面の洗浄を終えると、洗車機本体１の再往行させると共に側面ブラシ２３，２３を閉じ方向の移動させて、車両側面を洗浄する。
【００３１】
この車両側面を洗浄するとき、側面ブラシ２３，２３は、上から下に向けて門型洗車機本体１の左右方向外側に傾斜（傾斜角２°〜７°好ましくは３°）しているので、車両Ｖが図６（Ａ）に示すように、車高が高く、側面が鉛直に近い車両の場合にも、また、図６（Ｂ）に示すように車高が低く、側面が大きく傾斜した車両の場合にも、その傾斜角を、特に変更しなくとも、側面ブラシ２３、２３を、車体の上下方向にわたって接触させることができ、車両側面を効果的に洗浄をすることができる。
【００３２】
なお、側面ブラシ２３，２３による車両後面も、車両前面と同じように洗浄される。
【００３３】
以上のように、一対の側面ブラシ２３，２３は、それらの傾斜角を変えることなく、それらの支持構造を簡素化しながら、車両が、バンタイプのように、側面が鉛直に近い車両でも、またセダンタイプのように、側面が大きく傾斜した車両でも、その側面およびバンパーＶＢ上面の洗浄効果を高めることができる。
【００３４】
以上、本発明の実施例について説明したが、本発明はその実施例に限定されることなく、本発明の範囲内で種々の実施例が可能である。
【００３５】
たとえば、前記実施例の「洗浄」とは、洗剤による「洗浄処理」のほか、「リンス処理」「ポリッシュ処理」などブラシの回転による他の処理を含むものとする。
【符号の説明】
【００３６】
１・・・・・・・・・門型洗車機本体
１６・・・・・・・・上面ブラシ
２３・・・・・・・・側面ブラシ
２３ｕ・・・・・・・上部
２３ｌ・・・・・・・下部
２３ｍ・・・・・・・中間部
２５・・・・・・・・移動体
３０・・・・・・・・回転軸
ｌ′−ｌ′・・・・・軸線
ｖ−ｖ・・・・・・・鉛直線
Ｖ・・・・・・・・・被洗浄車両
【図１】
2011016493.tif 000003
【図２】
2011016493.tif 000004
【図３】
2011016493.tif 000005
【図４】
2011016493.tif 000006
【図５】
2011016493.tif 000007
【図６】
2011016493.tif 000008